(57)【特許請求の範囲】
【請求項１】
回転する像担持体と、
前記像担持体に圧接して従動回転し像担持体を帯電させる帯電ロールと、
前記帯電ロールに圧接して従動回転し帯電ロールをクリーニングするクリーニングロールと、
前記帯電ロールの両端に設けられた一対の帯電ロール支持部、及び、前記クリーニングロールの両端に設けられた一対のクリーニングロール支持部を各々回転可能に支持する一対の支持部材と、
前記一対の支持部材が前記像担持体に対して接離する方向に摺動可能に取り付けられ、この一対の支持部材を介して前記帯電ロール及び前記クリーニングロールを保持する保持部材と、
前記一対の支持部材を前記像担持体側へ付勢して前記帯電ロールを像担持体に圧接させる付勢手段と、
を有し、
前記帯電ロール支持部がクリーニングロール支持部よりも大径とされ、前記支持部材において帯電ロール支持部を支持する帯電ロール軸受部とクリーニングロール支持部を支持するクリーニングロール軸受部とが連通されるとともに、帯電ロール支持部及びクリーニングロール支持部は、前記帯電ロール軸受部側に帯電ロール支持部及びクリーニングロール支持部を径方向に通過可能とする開口部が形成された単一の軸受部に支持されていることを特徴とする画像形成装置。
【請求項２】
前記クリーニングロールは、両端に前記一対のクリーニングロール支持部が設けられた芯材と、前記芯材の周面に設けられたロール状の多孔質弾性体からなるクリーニング部材と、を有する弾性ロールであることを特徴とする請求項１記載の画像形成装置。
【請求項３】
前記クリーニングロールは、両端に前記一対のクリーニングロール支持部が設けられた芯材と、前記芯材の周面に設けられたロール状のブラシ繊維からなるクリーニング部材と、を有するブラシロールであることを特徴とする請求項１記載の画像形成装置。
【発明の詳細な説明】
【技術分野】
【０００１】
本発明は、電子写真方式を採用した複写機やプリンタ等の画像形成装置に関し、特に、回転駆動される像担持体に接触して回転しつつ、像担持体の表面を帯電させる接触帯電方式の帯電ロールと、この帯電ロールをクリーニングするクリーニングロールとを有する画像形成装置に関するものである。
【背景技術】
【０００２】
電子写真方式を用いた複写機やプリンタ等の画像形成装置の帯電装置として、近年では、オゾンの排出抑制、装置の小型化、及び高圧電源コストの低減などを図るために、従来のスコロトロン等の非接触型帯電器に替えて、像担持体に接触あるいは近接配置されるローラー帯電器（ＢＣＲ）が用いられている。
【０００３】
このような接触帯電方式の帯電装置では、帯電ロールが像担持体に常時接触しているため、帯電ロール表面に異物の付着による汚れが発生しやすいという問題がある。画像形成動作を繰り返し行う像担持体の表面は、転写工程の下流側において、転写後の残留トナー等の異物除去を行うクリーニング工程を経た後、帯電工程のエリアへと進入してくるが、クリーニング工程を経てもトナーの一部やトナーの外添剤など、トナーよりも微小な粒子がクリーニングされずに像担持体上に残留し、帯電ロールの表面へと付着してしまう。帯電ロールの表面に付着した異物は、帯電ロールの表面抵抗値にムラを生じさせ、異常放電や不安定な放電となり帯電均一性を悪化させてしまう。
【０００４】
そこで、このような問題を改善するために、回転する帯電ロールの表面にロール形状のスポンジ部材等からなるクリーニングロールを圧接させ従動回転させることにより、帯電ロールに対する良好なクリーニング性を長期にわたり維持できるようにした技術が提案されている（例えば、特許文献１参照）。
【先行技術文献】
【特許文献】
【０００５】
【特許文献１】特開平５−２９７６９０号公報
【発明の概要】
【発明が解決しようとする課題】
【０００６】
本発明は、帯電ロールとクリーニングロールの着脱が容易に行え、組み立て性やリサイクル性が向上するようにした画像形成装置を提供することを課題とする。
【課題を解決するための手段】
【０００７】
本発明の請求項１の画像形成装置は、回転する像担持体と、前記像担持体に圧接して従動回転し像担持体を帯電させる帯電ロールと、前記帯電ロールに圧接して従動回転し帯電ロールをクリーニングするクリーニングロールと、前記帯電ロールの両端に設けられた一対の帯電ロール支持部、及び、前記クリーニングロールの両端に設けられた一対のクリーニングロール支持部を各々回転可能に支持する一対の支持部材と、前記一対の支持部材が前記像担持体に対して接離する方向に摺動可能に取り付けられ、この一対の支持部材を介して前記帯電ロール及び前記クリーニングロールを保持する保持部材と、前記一対の支持部材を前記像担持体側へ付勢して前記帯電ロールを像担持体に圧接させる付勢手段と、を有し、前記帯電ロール支持部がクリーニングロール支持部よりも大径とされ、前記支持部材において帯電ロール支持部を支持する帯電ロール軸受部とクリーニングロール支持部を支持するクリーニングロール軸受部とが連通されるとともに、帯電ロール支持部及びクリーニングロール支持部は、前記帯電ロール軸受部側に帯電ロール支持部及びクリーニングロール支持部を径方向に通過可能とする開口部が形成された単一の軸受部に支持されていることを特徴とする。
【０００８】
本発明の請求項２の画像形成装置は、請求項１に記載の画像形成装置において、前記クリーニングロールは、両端に前記一対のクリーニングロール支持部が設けられた芯材と、前記芯材の周面に設けられたロール状の多孔質弾性体からなるクリーニング部材と、を有する弾性ロールであることを特徴とする。
【０００９】
本発明の請求項３の画像形成装置は、請求項１に記載の画像形成装置において、前記クリーニングロールは、両端に前記一対のクリーニングロール支持部が設けられた芯材と、前記芯材の周面に設けられたロール状のブラシ繊維からなるクリーニング部材と、を有するブラシロールであることを特徴とする。
【発明の効果】
【００１０】
本発明の請求項１に記載の画像形成装置によれば、クリーニングロール支持部よりも大径とされ帯電ロール支持部と、クリーニングロール支持部とは、支持部材に設けられた単一の軸受部に支持されるが、この軸受部に対し、帯電ロール支持部及びクリーニングロール支持部は、帯電ロール軸受部側に形成された開口部を径方向に通過させることで、クリーニングロール支持部がクリーニングロール軸受部に着脱可能とされ、又、帯電ロール支持部が帯電ロール軸受部に着脱可能とされる。
【００１１】
このように、各ロールの支持部を単一の軸受部で支持するとともに、径方向に移動させて着脱できる構成とすることにより、例えば帯電ロールとクリーニングロールの軸方向における長さがほぼ同じであっても、着脱が容易に行えるようになるため、組み立て性やリサイクル性が向上する。
【００１２】
また、請求項１記載の画像形成装置における上記のクリーニングロールは、請求項２に記載の発明のように、両端に前記一対のクリーニングロール支持部が設けられた芯材と、前記芯材の周面に設けられたロール状の多孔質弾性体からなるクリーニング部材と、を有する弾性ロールとしてもよく、また、請求項３に記載の発明のように、両端に前記一対のクリーニングロール支持部が設けられた芯材と、前記芯材の周面に設けられたロール状のブラシ繊維からなるクリーニング部材と、を有するブラシロールとしてもよい。
【００１３】
尚、本願では以下の問題も考慮している。
【００１４】
上記のように帯電ロールにクリーニングロールを圧接し従動回転させて帯電面をクリーニングする構成では、帯電ロールやクリーニングロールに複数の外力が作用することで、それらの各ロールを支持している支持部材が傾き、各ロールの軸受部で、あるいはハウジングとの摺動箇所で、局部的に強く接触するカジリが発生しやすくなる。そしてこのカジリが負荷となり、帯電ロールの像担持体に対するニップ量不足、あるいは帯電ロールやクリーニングロールの回転トルク増大などが生じ、これらが原因で、像担持体表面の帯電性低下や、帯電ロール表面のクリーニング性低下を招く問題がある。
【００１５】
本願では上記事実を考慮して、帯電ロールによる像担持体の良好な帯電性能と、クリーニングロールによる帯電ロールの良好なクリーニング性能とを得ることができ、高品質な画像形成を実現できる画像形成装置を提供している。
【００１６】
即ち、本願の画像形成装置は、回転する像担持体と、前記像担持体に圧接して従動回転し像担持体を帯電させる帯電ロールと、前記帯電ロールに圧接して従動回転し帯電ロールをクリーニングするクリーニングロールと、前記帯電ロールの両端に設けられた一対の帯電ロール支持部、及び、前記クリーニングロールの両端に設けられた一対のクリーニングロール支持部を各々回転可能に支持する一対の支持部材と、前記一対の支持部材が前記像担持体に対して接離する方向に摺動可能に取り付けられ、この一対の支持部材を介して前記帯電ロール及び前記クリーニングロールを保持する保持部材と、前記一対の支持部材を前記像担持体側へ付勢して前記帯電ロールを像担持体に圧接させる付勢手段と、を有し、前記付勢手段による荷重点が前記支持部材の表面に設けられるとともに、その荷重方向が支持部材の摺動方向と略同一方向とされていることを特徴としている。
【００１７】
本願の画像形成装置では、帯電ロールの両端に設けられた一対の帯電ロール支持部、及び、クリーニングロールの両端に設けられた一対のクリーニングロール支持部に対応して、一対の支持部材が設けられ、帯電ロールとクリーニングロールは、この一対の支持部材に両端の支持部がそれぞれ支持されることにより、帯電ロールの表面（帯電面）にクリーニングロールが圧接した状態で、相対位置が略一定に保持され、帯電ロールに対するクリーニングロールのニップ量が一定とされる。また帯電ロールは、一対の支持部材が付勢手段によって像担持体側へ付勢されることにより像担持体に圧接し、像担持体の回転に伴い従動回転して像担持体を帯電させるとともに、クリーニングロールによって表面がクリーニングされる。
【００１８】
ここで、付勢手段によって像担持体側へ付勢される支持部材では、付勢力（荷重）が作用する荷重点が支持部材表面に設けられるとともに、その荷重方向が摺動方向と略同一方向とされているため、加えられた荷重が帯電ロールを像担持体に圧接させるための圧接力に効率よく変換されるとともに、回転モーメントの発生が抑えられて傾きが防止される。これにより、支持部材と帯電ロール支持部との間、支持部材とクリーニングロール支持部との間、あるいは、支持部材と保持部材との間に生じる摺動摩擦が低減され、帯電ロールの像担持体に対するニップ量不足、あるいは帯電ロールやクリーニングロールの回転トルク増大などが回避され、像担持体表面の帯電性低下や、帯電ロール表面のクリーニング性低下が抑えられる。
【００１９】
また、帯電ロールとクリーニングロールを同一の支持部材によって支持することにより、部品ばらつきの影響を受ける要素が少なくなってそれらの相対的な位置精度が向上し、帯電ロールがクリーニングロールから受ける負荷のばらつきが抑えられて像担持体に対する従動性が向上する。これにより、帯電ロールによる像担持体の帯電性能が更に良好になる。また、クリーニングロールのニップ量が安定することで、帯電ロールに対する従動性も向上し、これにより、クリーニングロールによる帯電ロールのクリーニング性能が更に良好になる。さらに、構成が簡素化されて組立性が良好となり、コストが抑えられる。したがって、帯電ロールとそのクリーニングロールとを、簡単な構成で高い相対位置精度に保持することができ、良好な帯電性能及びクリーニング性能が得られるようになる。
【００２０】
また、本願の画像形成装置は、前記保持部材に対する前記支持部材の摺動箇所と、前記荷重点とが、前記帯電ロールの径方向における同一平面内に配置されていることを特徴としている。
【００２１】
また、本願の画像形成装置は、前記保持部材に対する前記支持部材の摺動箇所と、前記帯電ロール支持部と、前記クリーニングロール支持部とが、前記帯電ロールの径方向における同一平面内に配置されていることを特徴としている。
【００２２】
また、本願の画像形成装置は、前記荷重点と、前記帯電ロール支持部と、前記クリーニングロール支持部とが、前記帯電ロールの径方向における同一平面内に配置されていることを特徴としている。
【００２３】
また、本願の画像形成装置は、前記保持部材に対する前記支持部材の摺動箇所と、前記荷重点と、前記帯電ロール支持部と、前記クリーニングロール支持部とが、前記帯電ロールの径方向における同一平面内に配置されていることを特徴としている。
【００２４】
本願の画像形成装置では、保持部材に対する支持部材の摺動箇所、支持部材に作用する荷重点、帯電ロール支持部、及びクリーニングロール支持部の位置関係を規定し、帯電ロールの径方向における同一平面内に配置することにより、支持部材の帯電ロール軸方向への傾きを防止することができる。これにより、支持部材と帯電ロール支持部との間、及び、支持部材とクリーニングロール支持部との間での摺動摩擦が抑えられ、帯電ロールやクリーニングロールの回転不良が防止されて、帯電ロールのクリーニング性能を向上することができる。
【００２５】
また、本願の画像形成装置は、前記保持部材に対する前記支持部材の摺動箇所と、前記荷重点とが、前記帯電ロールの軸方向における同一平面内に配置されていることを特徴としている。
【００２６】
また、本願の画像形成装置は、前記保持部材に対する前記支持部材の摺動箇所と、前記帯電ロール支持部と、前記クリーニングロール支持部とが、前記帯電ロールの軸方向における同一平面内に配置されていることを特徴としている。
【００２７】
また、本願の画像形成装置は、前記荷重点と、前記帯電ロール支持部と、前記クリーニングロール支持部とが、前記帯電ロールの軸方向における同一平面内に配置されていることを特徴としている。
【００２８】
また、本願の画像形成装置は、前記保持部材に対する前記支持部材の摺動箇所と、前記荷重点と、前記帯電ロール支持部と、前記クリーニングロール支持部とが、前記帯電ロールの軸方向における同一平面内に配置されていることを特徴としている。
【００２９】
本願の画像形成装置では、保持部材に対する支持部材の摺動箇所、支持部材に作用する荷重点、帯電ロール支持部、及びクリーニングロール支持部の位置関係を規定し、帯電ロールの軸方向における同一平面内に配置することにより、支持部材の帯電ロール径方向への傾きを防止することができる。これにより、支持部材と保持部材との間での摺動摩擦が抑えられ、支持部材に加えられた荷重を、帯電ロールを像担持体に圧接させるための圧接力に効率よく変換することができて、像担持体の帯電性能を向上することができる。
【００３０】
また、本願の画像形成装置は、前記保持部材に対する前記支持部材の摺動箇所と、前記荷重点と、前記帯電ロール支持部と、前記クリーニングロール支持部と、のうちの少なくとも２つ以上が、前記帯電ロールの径方向における同一平面内で且つ軸方向における同一平面内に配置されていることを特徴としている。
【００３１】
本願の画像形成装置では、保持部材に対する支持部材の摺動箇所、支持部材に作用する荷重点、帯電ロール支持部、及びクリーニングロール支持部の位置関係を規定し、それらのうちの少なくとも２つ以上を帯電ロールの径方向における同一平面内で且つ軸方向における同一平面内に配置することにより、支持部材の帯電ロール軸方向と径方向への傾きを共に防止することができる。これにより、帯電ロールのクリーニング性能、及び、像担持体の帯電性能を共に効率よく向上することができる。
【００３２】
本願の画像形成装置によれば、帯電ロールによる像担持体の良好な帯電性能と、クリーニングロールによる帯電ロールの良好なクリーニング性能とを得ることができ、高品質な画像形成を実現することができる。
【図面の簡単な説明】
【００３３】
【図１】本発明に係る画像形成装置の概略構成を示す構成図である。
【図２】図１の画像形成装置に搭載された感光体ドラム、帯電ロール、及びクリーニングロールの構成を示す拡大図である。
【図３】本発明に係る感光体ドラム、帯電ロール、クリーニングロール、及びホルダーの構成を示す部分断面側面図である。
【図４】本発明に係る帯電ロール及びクリーニングロールが軸受け部材に軸支された状態を示す斜視図である。
【図５】本発明に係る感光体ドラム、帯電ロール及びクリーニングロールの位置関係と軸受け部材の摺動方向を示す部分断面正面図である。
【図６】（Ａ）、（Ｂ）は、本発明に係るハウジングに対する軸受け部材の摺動箇所、軸受け部材に作用する荷重点、帯電ロールの支持部、及びクリーニングロールの支持部の位置関係を模式的に示す模式図である。
【図７】本発明に係るハウジングに対する軸受け部材の摺動箇所、軸受け部材に作用する荷重点、帯電ロールの支持部、及びクリーニングロールの支持部の位置関係を模式的に示す模式図である。
【図８】（Ａ）〜（Ｃ）は、本発明に係る軸受け部材に形成された単一の軸受け部に、帯電ロールの支持部、及びクリーニングロールの支持部が支持された状態を示す側面図である。
【発明を実施するための形態】
【００３４】
以下、図面を参照して本発明の実施形態に係る画像形成装置について説明する。以下において、第１実施形態および第２実施形態は本発明に関係する参考の実施形態であり、第３実施形態が本発明の実施形態である。
【００３５】
（画像形成装置の構成）
図１に示す本実施形態の画像形成装置１０は、４サイクル方式のフルカラーレーザプリンタであり、図示のように、装置内には、中央よりもやや右上部に、感光体ドラム１２が回転可能に配設されている。この感光体ドラム１２としては、例えば、表面にＯＰＣ等よりなる感光体層が被覆された導電性円筒体からなるものが用いられ、図示しないモータにより、矢印方向に沿って所定のプロセススピードで回転駆動される。
【００３６】
感光体ドラム１２の表面は、感光体ドラム１２の略真下に配置された帯電ロール１４によって所定の電位に帯電された後、帯電ロール１４の下方に配置された露光装置１６によって、レーザービームＬＢによる画像露光が施され、画像情報に応じた静電潜像が形成される。
【００３７】
この感光体ドラム１２上に形成された静電潜像は、イエロー（Ｙ）、マゼンタ（Ｍ）、シアン（Ｃ）、黒（Ｋ）の各色の現像器１８Ｙ、１８Ｍ、１８Ｃ、１８Ｋが周方向に沿って配置された回転式現像器１８によって現像され、所定の色のトナー像となる。
【００３８】
このとき、感光体ドラム１２の表面には、形成する画像の色に応じて、帯電・露光・現像の各工程が、所定回数だけ繰り返される。現像工程では回転式現像器１８が回転し、対応する色の現像器１８Ｙ、１８Ｍ、１８Ｃ、１８Ｋが、感光体ドラム１２と対向する現像位置に移動する。
【００３９】
例えば、フルカラーの画像を形成する場合、感光体ドラム１２の表面には、帯電・露光・現像の各工程が、イエロー（Ｙ）、マゼンタ（Ｍ）、シアン（Ｃ）、黒（Ｋ）の各色に対応して４回繰り返され、感光体ドラム１２の表面には、イエロー（Ｙ）、マゼンタ（Ｍ）、シアン（Ｃ）、黒（Ｋ）の各色に対応したトナー像が順次形成される。トナー像が形成されるにあたって、感光体ドラム１２が回転する回数は、画像のサイズに応じて異なるが、例えば、Ａ４サイズであれば、感光体ドラム１２が３回転することによって、１つの画像が形成される。つまり、感光体ドラム１２の表面には、感光体ドラム１２が３回転するごとに、イエロー（Ｙ）、マゼンタ（Ｍ）、シアン（Ｃ）、黒（Ｋ）の各色に対応したトナー像が形成される。
【００４０】
感光体ドラム１２上に順次形成されるイエロー（Ｙ）、マゼンタ（Ｍ）、シアン（Ｃ）、黒（Ｋ）の各色のトナー像は、感光体ドラム１２の外周に中間転写ベルト２０が巻き付けられた一次転写位置において、中間転写ベルト２０上に互いに重ね合わせた状態で一次転写ロール２２によって転写される。
【００４１】
この中間転写ベルト２０上に多重に転写されたイエロー（Ｙ）、マゼンタ（Ｍ）、シアン（Ｃ）、黒（Ｋ）のトナー像は、所定のタイミングで給紙される記録用紙２４上に、二次転写ロール２６によって一括して転写される。
【００４２】
一方、記録用紙２４は、画像形成装置１０の下部に配置された給紙カセット２８から、ピックアップロール３０によって送り出されるとともに、フィードロール３２及びリタードロール３４によって１枚ずつ捌かれた状態で給紙され、レジストロール３６によって中間転写ベルト２０上に転写されたトナー像と同期した状態で、中間転写ベルト２０の二次転写位置へと搬送される。
【００４３】
中間転写ベルト２０は、感光体ドラム１２における回動方向の上流側にて中間転写ベルト２０のラップ位置を特定するラップインロール３８と、感光体ドラム１２上に形成されたトナー像を中間転写ベルト２０上に転写する一次転写ロール２２と、ラップ位置の下流側にて中間転写ベルト２０のラップ位置を特定するラップアウトロール４０と、二次転写ロール２６に中間転写ベルト２０を介して当接するバックアップロール４２と、中間転写ベルト２０のクリーニング装置４４に対向する第１のクリーニングバックアップロール４６と、第２のクリーニングバックアップロール４８と、によって所定の張力で張架されており、所定のプロセススピードで循環移動するように、例えば、感光体ドラム１２の回転に伴って従動される。
【００４４】
ここで、中間転写ベルト２０は、画像形成装置１０の小型化を図るため、中間転写ベルト２０が張架される断面形状が、偏平な細長い略台形状となるように構成されている。
【００４５】
中間転写ベルト２０は、感光体ドラム１２と、帯電ロール１４と、中間転写ベルト２０と、中間転写ベルト２０を張架する複数のロール２２、３８、４０、４２、４６、４８と、中間転写ベルト２０用のクリーニング装置４４と、後述する感光体ドラム１２用のクリーニング装置７８と、で一体的に像形成ユニット５２を構成している。このため、画像形成装置１０の上部カバー５４を開き、像形成ユニット５２の上部に設けられた把手（図示省略）を手で持ち上げることにより、像形成ユニット５２全体を画像形成装置１０から取り外し可能となっている。
【００４６】
一方、中間転写ベルト２０のクリーニング装置４４は、第１のクリーニングバックアップロール４６によって張架された中間転写ベルト２０の表面に当接するように配置されたスクレーパ５８と、第２のクリーニングバックアップロール４８によって張架された中間転写ベルト２０の表面に圧接するように配置されたクリーニングブラシ６０とを備え、これらのスクレーパ５８やクリーニングブラシ６０によって除去された残留トナーや紙粉などは、クリーニング装置４４の内部に回収されるようになっている。
【００４７】
なお、クリーニング装置４４は、揺動軸６２を中心にして、図中反時計回り方向に揺動可能に配置されており、最終色のトナー像の二次転写が終了するまでは、中間転写ベルト２０の表面から離間した位置に退避するとともに、最終色のトナー像の二次転写が終了すると、中間転写ベルト２０の表面に当接するように構成されている。
【００４８】
さらに、中間転写ベルト２０からトナー像が転写された記録用紙２４は、定着装置６４へと搬送され、この定着装置６４によって加熱及び加圧されてトナー像が記録用紙２４上に定着される。その後、片面プリントの場合には、トナー像が定着された記録用紙２４は、排出ロール６６によって画像形成装置１０の上部に設けられた排出トレイ６８上にそのまま排出される。
【００４９】
一方、両面プリントの場合には、定着装置６４により第一面（表面）にトナー像が定着された記録用紙２４を、排出ロール６６によって排出トレイ６８上にそのまま排出せずに、排出ロール６６によって記録用紙２４の後端部を狭持した状態で、排出ロール６６を逆転させるとともに、記録用紙２４の搬送径路を両面用の用紙搬送路７０に切り替え、この両面用の用紙搬送路７０に配設された搬送ロール７２によって、記録用紙２４の表裏を反転した状態で、再度、中間転写ベルト２０の二次転写位置へ搬送して、記録用紙２４の第二面（裏面）にトナー像を転写する。そして、記録用紙２４の第二面（裏面）のトナー像を定着装置６４によって定着させ、記録媒体２４を排出トレイ６８上に排出する。
【００５０】
さらに、画像形成装置１０には、オプションによって、画像形成装置１０の側面に手差しトレイ７４が開閉自在に装着可能となっている。この手差しトレイ７４上に載置された任意のサイズ及び種類の記録用紙２４は、給紙ロール７６によって給紙され、搬送ロール７３及びレジストロール３６を介して、中間転写ベルト２０の二次転写位置へ搬送されることにより、任意のサイズ及び種類の記録用紙２４にも画像を形成することが可能となっている。
【００５１】
なお、トナー像の転写工程が終了した後の感光体ドラム１２の表面は、感光体ドラム１２が１回転する毎に、感光体ドラム１２の斜め下方に配置されたクリーニング装置７８のクリーニングブレード８０によって、残留トナーや紙粉などが除去され、次の画像形成工程に備えるようになっている。
【００５２】
図２に示すように、感光体ドラム１２の下方部には、感光体ドラム１２と接触するように帯電ロール１４が配置されている。この帯電ロール１４は、導電性のシャフト１４Ａの周囲に帯電層１４Ｂが形成されたものであり、シャフト１４Ａが回転可能に支持されている。帯電ロール１４の感光体ドラム１２と反対側の下方部には、帯電ロール１４の表面に接触するロール状のクリーニング部材であるクリーニングロール１００が設けられている。このクリーニングロール１００は、シャフト１００Ａの周囲にスポンジ層１００Ｂが形成されたものであり、シャフト１００Ａが回転可能に支持されている。
【００５３】
クリーニングロール１００は帯電ロール１４に所定の荷重で押圧され、スポンジ層１００Ｂが帯電ロール１４の周面に沿って弾性変形してニップ部１０１を形成している。感光体ドラム１２は、図示しないモータによって図２中の時計回り（矢印２の方向）に回転駆動され、感光体ドラム１２の回転により帯電ロール１４が矢印４の方向に従動回転する。また、帯電ロール１４の回転によりロール状のクリーニングロール１００が矢印６の方向に従動回転する。
【００５４】
クリーニングロール１００が従動回転することにより、帯電ロール１４の表面に付着したトナーや外添剤などの汚れ（異物）がクリーニングロール１００によってクリーニングされる。そしてこの異物がクリーニングロール１００の発泡体のセル内に取り込まれ、セル内に回収された異物が凝集して適度な大きさになると、クリーニングロール１００から帯電ロール１４を介して感光体ドラム１２に戻され、感光体ドラム１２をクリーニングするクリーニング装置７８に回収されることで、クリーニング性能の維持継続がなされる。
【００５５】
（帯電ロール及びクリーニングロールの構成）
ここで、本実施形態の帯電ロール（ＢＣＲ）１４とクリーニングロール１００について説明する。
【００５６】
帯電ロール１４は、上述したように、感光体ドラム１２の表面に接触して配設され、直流電圧あるいは直流電圧に交流電圧を印加されて、感光体ドラム１２表面を帯電させるものである。また、その形状としては、シャフト１４Ａを構成する芯材の周囲に、帯電層１４Ｂを構成する抵抗弾性層を設けたロール形状であり、抵抗弾性層を、外側から抵抗層とそれらを支持する弾性層の順に分割した構成とすることも可能である。さらに帯電ロール１４の耐久性や耐汚染性の付与のために、必要に応じて抵抗層の外側に保護層を設けることができる。
【００５７】
以下、芯材に弾性層、抵抗層、保護層を設けた場合について、より詳細に説明を行う。
【００５８】
芯材の材質としては導電性を有するもので、一般には鉄、銅、真鍮、ステンレス、アルミニウム、ニッケル等が用いられる。また、金属以外の材料でも、導電性と適度の剛性を有する材料であれば用いることができ、例えば導電性粒子等を分散した樹脂成形品や、セラミックス等を用いることもできる。また、ロール形状のほか、中空のパイプ形状とすることも可能である。
【００５９】
弾性層の材質としては導電性あるいは半導電性を有するもので、一般には樹脂材あるいはゴム材に導電性粒子あるいは半導電性粒子を分散したものである。樹脂材料としては、ポリエステル樹脂、アクリル樹脂、メラミン樹脂、エポキシ樹脂、ウレタン樹脂、シリコン樹脂、尿素樹脂、ポリアミド樹脂等の合成樹脂などが用いられ、ゴム材料としてはエチレン−プロピレンゴム、ポリブタジエン、天然ゴム、ポリイソブチレン、クロロプレンゴム、シリコンゴム、ウレタンゴム、エピクロルヒドリンゴム、フロロシリコーンゴム、エチレンオキシドゴムなど、または、それらを発泡させた発泡材が用いられる。
【００６０】
導電性粒子あるいは半導電性粒子としてはカーボンブラック、亜鉛、アルミニウム、銅、鉄、ニッケル、クロム、チタニウム等の金属、ZnO-Al2O3、SnO2-Sb2O3、In2O3-SnO2、ZnO-TiO2、MgO-Al2O3、FeO-TiO2、TiO2、SnO2、Sb2O3、In2O3、ZnO、MgO等の金属酸化物や、第４級アンモニウム塩等のイオン性化合物等を用いることができ、これらの材料を単独あるいは２種以上混合して用いても良い。更に必要に応じてタルク、アルミナ、シリカ等の無機充填材、フッ素樹脂やシリコンゴムの微粉等の有機充填材の１種または２種以上を混合しても良い。
【００６１】
抵抗層および保護層の材質としては結着樹脂に導電性粒子あるいは半導電性粒子を分散し、その抵抗を制御したもので、抵抗率としては１０＾3〜１０＾14Ωｃｍ、好ましくは１０＾5〜１０＾12Ωｃｍ、さらに好ましくは１０＾7〜１０＾12Ωｃｍがよい。また膜厚としては０．０１〜１０００μｍ、好ましくは０．１〜５００μｍ、さらに好ましくは０．５〜１００μｍがよい。結着樹脂としてはアクリル樹脂、セルロース樹脂、ポリアミド樹脂、メトキシメチル化ナイロン、エトキシメチル化ナイロン、ポリウレタン樹脂、ポリカーボネート樹脂、ポリエステル樹脂、ポリエチレン樹脂、ポリビニル樹脂、ポリアリレート樹脂、ポリチオフェン樹脂、ＰＦＡ、ＦＥＰ、ＰＥＴ等のポリオレフィン樹脂、スチレンブタジエン樹脂、メラミン樹脂、エポキシ樹脂、ウレタン樹脂、シリコン樹脂、尿素樹脂等が用いられる。
【００６２】
導電性粒子あるいは半導電性粒子としては弾性層と同様のカーボンブラック、金属、金属酸化物や、イオン導電性を発現する第４級アンモニウム塩等のイオン性化合物等の１種または２種以上が混合される。また必要に応じてヒンダードフェノール、ヒンダードアミン等の酸化防止剤、クレー、カオリン、タルク、シリカ、アルミナ等の無機充填剤や、フッ素樹脂やシリコン樹脂の微粉等の有機充填材や、シリコーンオイル等の潤滑剤などの、１種または２種以上を添加することができる。また更に界面活性剤や帯電制御剤等が必要に応じて添加される。
【００６３】
また、これらの層を形成する手段としてはブレードコーティング法、マイヤーバーコーティング法、スプレーコーティング法、浸漬コーティング法、ビードコーティング法、エアーナイフコーティング法、カーテンコーティング法等を用いることができる。
【００６４】
クリーニングロール１００は、シャフト１００Ａを構成する芯材と、この芯材の周面に形成されるスポンジ層１００Ｂを構成する多孔質弾性層から形成され、上述したように、帯電ロール１４の表面に接触して配設されている。
【００６５】
芯材の材質としては、多孔質弾性層を支持し、帯電ロール１４へ適度の圧接力で以って接触状態を維持できる程度の剛性を有するものが用いられ、一般には鉄、銅、真鍮、ステンレス、アルミニウム、ニッケル等などの金属の他、樹脂成形品、セラミックス等や、これらに導電性粒子等を分散させたものや、無機フィラーを分散させたものを用いることができる。また、ロール形状のほか、中空のパイプ形状とすることも可能である。
【００６６】
多孔質弾性層は、所定のセル密度で形成されたロール状のスポンジであり、例えばエーテル系ウレタンフォーム、ポリエチレンフォーム、ポリオレフィンフォーム、メラミンフォーム、マイクロポリマー等を用いることができる。
【００６７】
ポリウレタンフォームを例にとり、製造方法について簡単に説明すると、ポリオール、イソシアネート、水、触媒（アミン触媒、金属触媒など）および整泡剤（界面活性剤）を用いて製造され、また、用途によっては顔料などの添加剤が用いられる。そして、これら原料を混合・攪拌すると化学反応が起き、ウレタン樹脂の発泡体を得ることができる。
【００６８】
（第１の実施形態）
次に、第１の実施形態に係る帯電ロール１４及びクリーニングロール１００の支持構造について詳細に説明する。
【００６９】
図３に示すように、本実施形態では、帯電ロール１４とクリーニングロール１００が一対の軸受け部材１１０を介して箱状のハウジング１２０に組み付けられており、このハウジング１２０内に収容されてハウジング１２０とともにユニット化され、感光体ドラム１２に対して所定の位置に配置されている。
【００７０】
図４に示すように、一つの軸受け部材１１０は、直方体状（ブロック状）に形成され単一構成とされている。この軸受け部材１１０は、高剛性、高摺動性で耐摩耗性に優れたポリアセタールやポリカーボネート等の合成樹脂材料で形成されている。また、耐摩耗性を更に高めるために、上記の合成樹脂材料にガラス繊維やカーボン繊維等を含有させるようにしてもよい。
【００７１】
軸受け部材１１０には、長手方向（図４の上下方向）に沿って所定の間隔で配置された軸受け溝１１２及び軸受け孔１１４が形成されている。軸受け溝１１２は、軸受け部材１１０の上端面を開口した断面Ｕ字状に形成され、半円周面状とされた内周面部の内径が、帯電ロール１４のシャフト１４Ａ端部に設けられた支持部１４ａの軸径とほぼ同じにされている。この軸受け溝１１２には、帯電ロール１４のシャフト１４Ａの支持部１４ａが回転自在に嵌め入れられている。また、軸受け溝１１２は図の上側となる感光体ドラム１２側が開放されていることにより、支持部１４ａを内周面部で当接支持した際に、その支持部１４ａに対して感光体ドラム１２への圧接方向（矢印８方向）に自由度を与える形状とされている。一方、軸受け孔１１４には、クリーニングロール１００のシャフト１００Ａ端部に設けられた支持部１００ａが回転自在に挿入されている。
【００７２】
図３に示すように、ハウジング１２０は、本体部１２２における帯電ロール１４及びクリーニングロール１００の軸方向に沿った両端部（図３の左右の側端部）に、上記の一対の軸受け部材１１０が取り付けられる一対の取付部１２４が一体的に設けられている。
【００７３】
取付部１２４には、取付部１２４の延出方向に沿ったガイド溝１２６が形成されている。軸受け部材１１０は、このガイド溝１２６にはめ入れられてその先端側に配置されており、ガイド溝１２６にガイドされて取付部１２４の延出方向（感光体ドラム１２に対し接離する方向）に沿って摺動可能とされている。
【００７４】
また、ガイド溝１２６内の基端側には、軸受け部材１１０を感光体ドラム１２側へ付勢する圧縮コイルばね１２８が設けられている。この圧縮コイルばね１２８のばね力で、軸受け部材１１０が感光体ドラム１２側へ付勢され（矢印８の方向）、帯電ロール１４は感光体ドラム１２に圧接している。
【００７５】
図５に示すように、フレーム１２０の取付部１２４に形成されたガイド溝１２６は、感光体ドラム１２のシャフト１２Ａの軸心（回転中心ＯＡ）方向へ向けて延出されており、この感光体ドラム１２の回転中心ＯＡが、溝幅の中心を通る中心線（直線Ｌ）上に配置されるよう相対位置が設定されている。
【００７６】
このガイド溝１２６にはめ入れられた軸受け部材１１０は、軸受け溝１１２の中心（図４参照）、すなわち、軸受け溝１１２に支持された帯電ロール１４のシャフト１４Ａの軸心（回転中心ＯＢ）と、軸受け孔１１４の中心（図４参照）、すなわち、軸受け孔１１４に支持されたクリーニングロール１００のシャフト１００Ａの軸心（回転中心ＯＣ）とがガイド溝１２６の上記中心線（直線Ｌ）上に配置されるよう設定されている。そして、ガイド溝１２６にガイドされガイド溝１２６の延出方向に沿って、すなわち、溝幅の中心線に沿って摺動し（矢印Ｙ方向）、感光体ドラム１２に接近及び離間する。
【００７７】
またガイド溝１２６内の基端側（溝底部）に設けられた圧縮コイルばね１２８は、その軸心がガイド溝１２６の上記中心線（直線Ｌ）上に位置するよう配置されており、その中心線に沿って伸縮し軸受け部材１１０を感光体ドラム１２側へ付勢する。
【００７８】
また、図６（Ａ）に示すように、圧縮コイルばね１２８によって感光体ドラム１２側へ付勢される軸受け部材１１０は、付勢力（荷重）が作用する荷重点Ｐが下面に設けられており、その荷重方向（矢印Ｆ方向）が摺動方向（矢印Ｙ方向）と同じ方向にされている。さらに、ハウジング１２０に対する軸受け部材１１０の摺動箇所Ｓ（軸受け部材１１０の外側面）と、上記の荷重点Ｐと、帯電ロール１４の支持部１４ａと、クリーニングロール１００の支持部１００ａとが、帯電ロール１４の径方向（図の上下方向）における同一平面Ｖ１内に配置されている。
【００７９】
そして、一対の軸受け部材１１０に、シャフト１４Ａの両端の支持部１４ａが軸支された帯電ロール１４と、シャフト１００Ａの両端の支持部１００ａが軸支されたクリーニングロール１００とは、前述したように、クリーニングロール１００が帯電ロール１４に所定の荷重で押圧され、スポンジ層１００Ｂが帯電ロール１４の周面に沿って弾性変形しニップ部１０１を形成した状態で（図２参照）、軸間距離が一定とされ、圧接方向の相対距離が一定に保たれている。さらに、圧接方向と直交する方向（接触部（ニップ部１０１）の略接線方向）の位置関係も一定とされて、相対位置が一定に保たれており、これによってニップ幅が一定とされている。
【００８０】
次に、本実施形態の作用について説明する。
【００８１】
本実施形態の画像形成装置１０では、画像形成動作時に感光体ドラム１２が回転すると、感光体ドラム１２の回転に伴って帯電ロール１４が従動回転し感光体ドラム１２を帯電させ、さらに帯電ロール１４の回転に伴ってクリーニングロール１００が従動回転し帯電ロール１４をクリーニングする。このように、画像形成において感光体ドラム１２を帯電させる帯電ロール１４は、ロール表面に付着した異物がクリーニングロール１００によってクリーニングされるため、帯電性能の低下が抑えられる。
【００８２】
ここで、圧縮コイルばね１２８によって感光体ドラム１２側へ付勢される本実施形態の軸受け部材１１０では、付勢力（荷重）が作用する荷重点Ｐが軸受け部材１１０の下面に設けられるとともに、その荷重方向が摺動方向と同一方向とされているため、加えられた荷重（図６（Ａ）の矢印Ｆ）が帯電ロール１４を感光体ドラム１２に圧接させるための圧接力に効率よく変換されるとともに、回転モーメントの発生が抑えられて傾きが防止される。特に本実施形態では、ハウジング１２０に対する軸受け部材１１０の摺動箇所Ｓ（軸受け部材１１０の外側面）と、上記の荷重点Ｐと、帯電ロール１４の支持部１４ａと、クリーニングロール１００の支持部１００ａとが、帯電ロール１４の径方向（図の上下方向）における同一平面Ｖ１内に配置されていることにより、軸受け部材１１０の帯電ロール１４軸方向への傾きに対する抑制効果が高められる。
【００８３】
これにより、軸受け部材１１０の軸受け溝１１２と帯電ロール１４の支持部１４ａとの間、軸受け部材１１０の軸受け孔１１４とクリーニングロール１００の支持部１００ａとの間、あるいは、軸受け部材１１０とハウジング１２０（取付部１２４）との間に生じる摺動摩擦が低減され、帯電ロール１４の感光体ドラム１２に対するニップ量不足、あるいは帯電ロール１４やクリーニングロール１００の回転トルク増大などが回避され、感光体ドラム１２表面の帯電性低下や、帯電ロール１４表面のクリーニング性低下が抑えられる。
【００８４】
また、帯電ロール１４とクリーニングロール１００を同一の軸受け部材１１０によって支持していることにより、部品ばらつきの影響を受ける要素が少なくなってそれらの相対的な位置精度が向上し、帯電ロール１４がクリーニングロール１００から受ける負荷のばらつきが抑えられて感光体ドラム１２に対する従動性が向上する。これにより、帯電ロール１４による感光体ドラム１２の帯電性能が更に良好になる。また、クリーニングロール１００のニップ量が安定することで、帯電ロール１４に対する従動性も向上し、クリーニングロール１００による帯電ロール１４のクリーニング性能が更に良好になる。さらに、構成が簡素化されて組立性が良好となり、コストが抑えられる。これにより、帯電ロール１４とそのクリーニングロール１００とを、簡単な構成で高い相対位置精度に保持することができ、良好な帯電性能及びクリーニング性能が得られるようになる。したがって、本実施形態の画像形成装置１０であれば、感光体ドラム１２の帯電不良や帯電ロール１４のクリーニング不良による画像欠陥が抑えられ、長期にわたり高品質な画像を形成することができる。
【００８５】
また、本実施形態の変形例を図６（Ｂ）に示す。この変形例における軸受け部材１３０は、図６（Ａ）に示した軸受け部材１１０と同様、圧縮コイルばね１２８からの荷重が作用する荷重点Ｐが下面に設けられており、その荷重方向（矢印Ｆ方向）が摺動方向（矢印Ｙ方向）と同じ方向にされている。ただし、ハウジング１２０に対する軸受け部材１１０の摺動箇所Ｓ（軸受け部材１１０の外側面）と、上記の荷重点Ｐとが帯電ロール１４の径方向における同一平面Ｖ２内に配置され、上記の摺動箇所Ｓと、帯電ロール１４の支持部１４ａと、クリーニングロール１００の支持部１００ａとが、平面Ｖ２とは異なる、帯電ロール１４の径方向における同一平面Ｖ３内に配置されている。
【００８６】
このような構成によっても、軸受け部材１１０の帯電ロール１４軸方向への傾きを防止することが可能であり、これにより、軸受け部材１１０と帯電ロール１４との間、及び、軸受け部材１１０とクリーニングロール１００との間での摺動摩擦が抑えられ、帯電ロール１４やクリーニングロール１００の回転不良が防止されて、帯電ロール１４のクリーニング性能を向上することができる。
【００８７】
（第２の実施形態）
次に、本発明の第２の実施形態について説明する。
【００８８】
図７に示すように、本実施形態の軸受け部材１４０は、圧縮コイルばね１２８からの荷重が作用する荷重点Ｐが外側面に設けられており、その荷重方向（矢印Ｆ方向）が摺動方向（矢印Ｙ方向）と同じ方向にされている。また、ハウジング１２０に対する軸受け部材１１０の摺動箇所Ｓ（軸受け部材１１０の外側面）と、上記の荷重点Ｐと、帯電ロール１４の支持部１４ａとが帯電ロール１４の軸方向（図の左右方向）における同一平面Ｈ１内に配置されており、さらに、摺動箇所Ｓと、帯電ロール１４の支持部１４ａと、クリーニングロール１００の支持部１００ａとが、帯電ロール１４の径方向における同一平面Ｖ４内に配置されている。
【００８９】
以上の構成により、本実施形態においても、荷重点Ｐが外側面に作用する軸受け部材１４０では、その荷重方向が摺動方向と同一方向とされているため、加えられた荷重が帯電ロール１４を感光体ドラム１２に圧接させるための圧接力に効率よく変換されるとともに、回転モーメントの発生が抑えられて傾きが防止される。また、特に本実施形態の場合では、軸受け部材１４０の帯電ロール１４軸方向と径方向への傾きを共に防止することができるため、帯電ロール１４のクリーニング性能、及び、感光体ドラム１２の帯電性能を共に効率よく向上することができる。
【００９０】
（第３の実施形態）
次に、本発明の第３の実施形態について説明する。
【００９１】
第３の実施形態は、第１の実施形態で説明した軸受け部材１１０における軸受け部の形状を変更したものであり、図８（Ａ）〜（Ｃ）に本実施形態に係る３種類の変形例を示す。なお、本実施形態では、図８（Ａ）〜（Ｃ）に示すように、帯電ロール１４のシャフト径がクリーニングロール１００のシャフト径よりも大きくされており、したがって、帯電ロール１４の支持部１４ａがクリーニングロール１００の支持部１００ａよりも大径とされている。
【００９２】
まず、図８（Ａ）に示した軸受け部材１５０には、上端面を開口した断面略Ｖ字状の単一の開口部が形成されており、この開口部によって、帯電ロール１４及びクリーニングロール１００をそれぞれ回転可能に支持する軸受け部１５２が構成されている。
【００９３】
この軸受け部１５２では、内周面の上部側に、帯電ロール１４の支持部１４ａにおける２箇所を線接触にて当接支持する帯電ロール軸受け部１５４が設けられており、略半円周面状とされた底面に、クリーニングロール１００の支持部１００ａにおける下面側を面接触にて当接支持するクリーニングロール軸受け部１５６が設けられている。
【００９４】
そして、この軸受け部材１５０の帯電ロール軸受け部１５４にシャフト１４Ａの支持部１４ａが支持された帯電ロール１４と、クリーニングロール軸受け部１５６にシャフト１００Ａの支持部１００ａが支持されたクリーニングロール１００とは、第１の実施形態と同じく、クリーニングロール１００が帯電ロール１４に圧接しニップ部１０１を形成した状態で、圧接方向と一致する対向方向の相対距離が一定に保たれ、接触幅が一定とされている。
【００９５】
図８（Ｂ）に示した軸受け部材１６０では、上記の軸受け部材１５０と同様に、上端面を開口した断面略Ｖ字状の単一の開口部が形成されており、この開口部によって軸受け部１６２が構成されている。
【００９６】
この軸受け部１６２では、軸受け部材１５０と同じく、内周面の上部側に、帯電ロール１４の支持部１４ａにおける２箇所を線接触にて当接支持する帯電ロール軸受け部１６４が設けられており、内周面の下部側に、クリーニングロール１００の支持部１００ａにおける２箇所を線接触にて当接支持するクリーニングロール軸受け部１６６が設けられて、この支持部１００ａの下面部は軸受け部１６２の底面から離間している。
【００９７】
そしてこの場合も、軸受け部材１６０の帯電ロール軸受け部１６４にシャフト１４Ａの支持部１４ａが支持された帯電ロール１４と、クリーニングロール軸受け部１６６にシャフト１００Ａの支持部１００ａが支持されたクリーニングロール１００とは、クリーニングロール１００が帯電ロール１４に圧接しニップ部１０１を形成した状態で、圧接方向と一致する対向方向の相対距離Ｌ４が一定に保たれ、接触幅が一定とされている。
【００９８】
また、図６（Ｃ）に示した軸受け部材１７０は、上端面を開口した断面Ｕ字状の大開口部と、この大開口部の下側に配置されて大開口部の底面を開口した断面Ｕ字状の小開口部が形成されており、この連通された２段構造の単一の開口部によって軸受け部１７２が構成されている。
【００９９】
この軸受け部１７２では、上側に配置された大開口部の略半円周面状とされた底面に、帯電ロール１４の支持部１４ａにおける２箇所を面接触にて当接支持する帯電ロール軸受け部１７４が設けられており、下側に配置された小開口部の略半円周面状とされた底面に、クリーニングロール１００の支持部１００ａにおける下面側を面接触にて当接支持するクリーニングロール軸受け部１７６が設けられている。
【０１００】
そしてこの場合も、軸受け部材１７０の帯電ロール軸受け部１７４にシャフト１４Ａの支持部１４ａが支持された帯電ロール１４と、クリーニングロール軸受け部１７６にシャフト１００Ａの支持部１００ａが支持されたクリーニングロール１００とは、クリーニングロール１００が帯電ロール１４に圧接しニップ部１０１を形成した状態で、圧接方向と一致する対向方向の相対距離Ｌ４が一定に保たれ、接触幅が一定とされている。
【０１０１】
また、これらの軸受け部材１５０、１６０、１７０についても、第１実施形態の軸受け部材１１０と同じく、圧縮コイルばね１２８の荷重が作用する荷重点Ｐが下面に設けられており、その荷重方向（矢印Ｆ方向）が摺動方向（矢印Ｙ方向）と同じ方向にされている。さらに、ハウジング１２０に対する軸受け部材１５０、１６０、１７０の摺動箇所Ｓ（外側面）と、上記の荷重点Ｐと、帯電ロール１４の支持部１４ａと、クリーニングロール１００の支持部１００ａとが、帯電ロール１４の径方向（図の上下方向）における同一平面内に配置されている。
【０１０２】
以上により、本実施形態の軸受け部材１５０、１６０、１７０についても、第１実施形態と同じく、帯電ロール１４軸方向への傾きが抑制され、帯電ロール１４による感光体ドラム１２の帯電性能、及び、クリーニングロール１００による帯電ロール１４のクリーニング性能が良好になる。
【０１０３】
また、本実施形態では、クリーニングロール１００の支持部１００ａよりも大径とされ帯電ロール１４の支持部１４ａと、クリーニングロール１００の支持部１００ａとは、軸受け部材１５０、１６０、１７０に設けられた単一の開口部からなる軸受け部１５２、１６２、１７２に支持されるが、これらの軸受け部１５２、１６２、１７２に対し、各ロールの支持部は、上面側（帯電ロール軸受け部側）に形成された開口部を径方向に通過させることで、クリーニングロール１００の支持部１００ａがクリーニングロール軸受け部１５６、１６６、１７６に着脱可能とされ、又、帯電ロール１４の支持部１４ａが帯電ロール軸受け部１５４、１６４、１７４に着脱可能とされる。
【０１０４】
このように、各ロールの支持部を単一の開口部からなる軸受け部１５２、１６２、１７２で支持するとともに、径方向に移動させて着脱できる構成としたことにより、本実施形態のように帯電ロール１４とクリーニングロール１００の軸方向における長さがほぼ同じであっても、着脱が容易に行えるようになるため、組み立て性やリサイクル性を向上することができる。
【０１０５】
以上、本発明を上述した第１〜第３の実施形態により詳細に説明したが、本発明はそれらに限定されるものではなく、本発明の範囲内にて他の種々の形態が実施可能である。
【０１０６】
例えば、上述の実施形態では、感光体ドラム１２の下方部に帯電ロール１４を接触させ、その帯電ロール１４の下方部にクリーニングロール１００を接触させる構成としているが、感光体ドラム１２、帯電ロール１４、及びクリーニングロール１００の位置関係はこれに限定されるものではない。例えば、感光体ドラムの上方部に帯電ロールを接触させ、その帯電ロールの上方部にクリーニングロールを接触させる構成等にも本発明を適用することができる。
【０１０７】
また、上述の実施形態では、クリーニングロールについて、両端に一対の支持部１００ａが設けられたシャフト１００Ａと、シャフト１００Ａの周面に設けられたロール状の多孔質弾性体からなるスポンジ層１００Ｂと、を有する弾性ロールを例に説明したが、クリーニングロールの構成（種類）はこれに限定されるものではない。例えば、シャフトの周面にロール状のブラシ繊維からなるクリーニング部材を設けたブラシロール等を用いる構成にも本発明を適用することができる。
【０１０８】
また、本発明を適用する画像形成装置については、上述の実施形態のように、回転式現像器１８を用いて感光体ドラム１２へのトナー像の形成を４回繰り返して行う４サイクル方式の構成に限定されるものではない。例えば、中間転写ベルトの移動方向に沿ってイエロー、マゼンタ、シアン、ブラックの画像形成ユニットを並設したフルカラーのタンデム構成であっても、各画像形成ユニットの感光体ドラムと、帯電ロール及びクリーニングロールのホルダーに本発明を適用することができる。
【符号の説明】
【０１０９】
１０ 画像形成装置
１２ 感光体ドラム（像担持体）
１４ 帯電ロール
１４Ａ シャフト
１４ａ 支持部 
１００ クリーニングロール
１００Ａ シャフト
１００ａ 支持部
１１０ 軸受け部材
１１２ 軸受け溝
１１４ 軸受け孔
１２０ ハウジング（保持部材）
１２４ 取付部
１３０ 軸受け部材
１４０ 軸受け部材
１５０ 軸受け部材
１５２ 軸受け部
１５４ 帯電ロール軸受け部
１５６ クリーニングロール軸受け部
１６０ 軸受け部材
１６２ 軸受け部
１６４ 帯電ロール軸受け部
１６６ クリーニングロール軸受け部
１７０ 軸受け部材
１７２ 軸受け部
１７４ 帯電ロール軸受け部
１７６ クリーニングロール軸受け部
Ｆ 荷重方向
Ｈ１ 平面
Ｖ１ 平面
Ｖ２ 平面
Ｖ３ 平面
Ｖ４ 平面
Ｐ 荷重点
Ｓ 摺動箇所
Ｙ 摺動方向
【図１】
0004711024.tif 000002
【図２】
0004711024.tif 000003
【図３】
0004711024.tif 000004
【図４】
0004711024.tif 000005
【図５】
0004711024.tif 000006
【図６】
0004711024.tif 000007
【図７】
0004711024.tif 000008
【図８】
0004711024.tif 000009